【手続補正書】
【提出日】平成20年7月4日(2008.7.4)
【手続補正１】
【補正対象書類名】明細書
【補正対象項目名】発明の名称
【補正方法】変更
【補正の内容】
【発明の名称】係数データの生成装置および生成方法、それを使用した情報信号の処理装置および処理方法、それに使用する係数種データの生成装置および生成方法
【手続補正２】
【補正対象書類名】明細書
【補正対象項目名】特許請求の範囲
【補正方法】変更
【補正の内容】
【特許請求の範囲】
【請求項１】  複数の情報データからなる第１の情報信号を複数の情報データからなる第２の情報信号に変換する際に使用され、上記第２の情報信号に係る注目点の情報データを、上記第１の情報信号から抽出される複数の情報データから算出するための推定式の係数データを生成する係数データ生成装置であって、
上記第２の情報信号に対応した教師信号と、該教師信号から、第１の物理的な特徴量によって周波数特性を変化させた落としフィルタを用いて得られた上記第１の情報信号に対応した複数の生徒信号との間の学習によって生成される、上記第１の物理的な特徴量を示す第１のパラメータを含み上記推定式の係数データを生成するための生成式の係数データである第１の係数種データと、上記第２の情報信号に対応した教師信号と、該教師信号から、第２〜第Ｎ（Ｎは２以上の整数）の物理的な特徴量によって、それぞれ、他の物理的な特徴量の所定値に対応した周波数特性より該周波数特性を変化させた落としフィルタを用いて得られた上記第１の情報信号に対応した複数の生徒信号との間の学習によって生成される、それぞれ上記第２〜第Ｎの物理的な特徴量を示す第２〜第Ｎのパラメータを含み上記推定式の係数データを生成するための生成式の係数データである第２〜第Ｎの係数種データを格納する格納手段と、
上記第１のパラメータの値および上記第２〜第Ｎのパラメータの値を設定するパラメータ設定手段と、
上記格納手段に格納されている、上記第１の係数種データおよび上記第２〜第Ｎの係数種データに基づいて、上記パラメータ設定手段で設定された上記第１のパラメータおよび上記第２〜第Ｎのパラメータの値に対応した、上記推定式の係数データを生成する係数データ生成手段と
を備えることを特徴とする係数データ生成装置。
【請求項２】  上記格納手段には、上記第１の係数種データの他に、上記第２の係数種データが格納されており、
上記パラメータ設定手段は、上記第１のパラメータの値および上記第２のパラメータの値を設定するものであり、
上記係数データ生成手段は、上記格納手段に格納されている上記第１の係数種データおよび上記第２の係数種データに基づいて、上記パラメータ設定手段で設定された上記第１のパラメータの値および上記第２のパラメータの値に対応した上記推定式の係数データを生成する
ことを特徴とする請求項１に記載の係数データ生成装置。
【請求項３】  上記格納手段に格納されている上記第２の係数種データは、上記第１のパラメータの複数の値にそれぞれ対応した複数の周波数特性より、それぞれ上記第２の物理的な特徴量によって周波数特性を変化させた落としフィルタで生成された生徒信号に係る複数の第２の係数種データからなり、
上記係数データ生成手段は、
上記パラメータ設定手段で設定された上記第１のパラメータの値が上記複数の値のいずれかに対応しているとき、該第１のパラメータの値に対応した周波数特性より上記第２の物理的な特徴量によって周波数特性を変化させた落としフィルタで生成された生徒信号に係る第２の係数種データに基づいて、上記生成式により、上記第１のパラメータの値および上記第２のパラメータの値に対応した上記推定式の係数データを生成し、
上記パラメータ設定手段で設定された上記第１のパラメータの値が上記複数の値のいずれにも対応していないとき、上記複数の値のうち上記第１のパラメータの値の前後の値に対応した２つの周波数特性より、それぞれ上記第２の物理的な特徴量によって周波数特性を変化させた落としフィルタで生成された生徒信号に係る２つの第２の係数種データに基づいて上記生成式により上記パラメータ設定手段で設定された上記第２のパラメータの値に対応した上記推定式の２つの係数データを求め、該２つの係数データから、上記第１の係数種データに基づいて上記生成式により求められた、上記第１のパラメータの値および上記前後の値に対応した上記推定式の係数データを用いた補間処理によって、上記第１のパラメータの値および上記第２のパラメータの値に対応した上記推定式の係数データを生成する
ことを特徴とする請求項２に記載の係数データ生成装置。
【請求項４】  上記格納手段に格納されている上記第２の係数種データは、上記第１のパラメータの単一の値に対応した周波数特性より、上記第２の物理的な特徴量によって周波数特性を変化させた落としフィルタで生成された生徒信号に係る単一の第２の係数種データからなり、
上記係数データ生成手段は、
上記パラメータ設定手段で設定された上記第１のパラメータの値が上記単一の値であるとき、上記単一の第２の係数種データに基づいて、上記生成式により、上記第１のパラメータの値および上記第２のパラメータの値に対応した上記推定式の係数データを生成し、
上記パラメータ設定手段で設定された上記第１のパラメータの値が上記単一の値でないとき、上記単一の第２の係数種データに基づいて上記生成式により上記パラメータ設定手段で設定された上記第２のパラメータの値に対応した上記推定式の係数データを求め、該係数データから、上記第１の係数種データに基づいて上記生成式により求められた、上記第１のパラメータの値および上記単一の値に対応した上記推定式の係数データを用いた平行移動処理によって、上記第１のパラメータの値および上記第２のパラメータの値に対応した上記推定式の係数データを生成する
ことを特徴とする請求項２に記載の係数データ生成装置。
【請求項５】  上記格納手段は、
上記第２の情報信号に対応した教師信号と、該教師信号から、上記第１のパラメータの所定の値または上記第２のパラメータの所定の値に対応した周波数特性より、第３の物理的な特徴量によって周波数特性を変化させた落としフィルタを用いて得られた上記第１の情報信号に対応した複数の生徒信号との間の学習によって生成される、上記第３の物理的な特徴量を示す第３のパラメータを含み上記推定式の係数データを生成するための生成式の係数データである第３の係数種データをさらに格納しており、
上記パラメータ設定手段は、上記第３のパラメータの値をさらに設定し、
上記係数データ生成手段は、上記格納手段に格納されている上記第１〜第３の係数種データに基づいて、上記パラメータ設定手段で設定された上記第１〜第３のパラメータの値に対応した上記推定式の係数データを生成する
ことを特徴とする請求項２に記載の係数データ生成装置。
【請求項６】  上記格納手段に格納されている上記第３の係数種データは、上記第１のパラメータの所定の値に対応した周波数特性より、上記第３の物理的な特徴量によって周波数特性を変化させた落としフィルタで得られた生徒信号に係るものであり、
上記係数データ生成手段は、上記第１のパラメータの値、および上記第２のパラメータの値または上記第３のパラメータの値に対応した上記推定式の係数データを生成する
ことを特徴とする請求項５に記載の係数データ生成装置。
【請求項７】  上記格納手段に格納されている上記第３の係数種データは、上記第２のパラメータの所定の値に対応した周波数特性より、上記第３の物理的な特徴量によって周波数特性を変化させた落としフィルタで得られた生徒信号に係るものであり、
上記係数データ生成手段は、上記第１〜第３のパラメータの値に対応した上記推定式の係数データを生成する
ことを特徴とする請求項５に記載の係数データ生成装置。
【請求項８】  複数の情報データからなる第１の情報信号を複数の情報データからなる第２の情報信号に変換する際に使用され、上記第２の情報信号に係る注目点の情報データを、上記第１の情報信号から抽出される複数の情報データから算出するための推定式の係数データを生成する係数データ生成方法であって、
上記第２の情報信号に対応した教師信号と、該教師信号から、第１の物理的な特徴量によって周波数特性を変化させた落としフィルタを用いて得られた上記第１の情報信号に対応した複数の生徒信号との間の学習によって生成される、上記第１の物理的な特徴量を示す第１のパラメータを含み上記推定式の係数データを生成するための生成式の係数データである第１の係数種データを記憶部から取得するステップと、
上記第２の情報信号に対応した教師信号と、該教師信号から、第２〜第Ｎ（Ｎは２以上の整数）の物理的な特徴量によって、それぞれ、他の物理的な特徴量の所定値に対応した周波数特性より該周波数特性を変化させた落としフィルタを用いて得られた上記第１の情報信号に対応した複数の生徒信号との間の学習によって生成される、それぞれ上記第２〜第Ｎの物理的な特徴量を示す第２〜第Ｎのパラメータを含み上記推定式の係数データを生成するための生成式の係数データである第２〜第Ｎの係数種データを記憶部から取得するステップと、
上記第１のパラメータの値および上記第２〜第Ｎのパラメータの値を設定するステップと、
上記取得された第１の係数種データ、および第２〜第Ｎの係数種データに基づいて、上記設定された第１のパラメータの値および第２〜第Ｎのパラメータの値に対応した、上記推定式の係数データを生成するステップと
を備えることを特徴とする係数データ生成方法。
【請求項９】  複数の情報データからなる第１の情報信号を複数の情報データからなる第２の情報信号に変換する情報信号処理装置であって、
上記第２の情報信号に対応した教師信号と、該教師信号から、第１の物理的な特徴量によって周波数特性を変化させた落としフィルタを用いて得られた上記第１の情報信号に対応した複数の生徒信号との間の学習によって生成される、上記第１の物理的な特徴量を示す第１のパラメータを含み推定式の係数データを生成するための生成式の係数データである第１の係数種データと、上記第２の情報信号に対応した教師信号と、該教師信号から、第２〜第Ｎ（Ｎは２以上の整数）の物理的な特徴量によって、それぞれ、他の物理的な特徴量の所定値に対応した周波数特性より該周波数特性を変化させた落としフィルタを用いて得られた上記第１の情報信号に対応した複数の生徒信号との間の学習によって生成される、それぞれ上記第２〜第Ｎの物理的な特徴量を示す第２〜第Ｎのパラメータを含み上記推定式の係数データを生成するための生成式の係数データである第２〜第Ｎの係数種データを格納する格納手段と、
上記第１のパラメータの値および上記第２〜第Ｎのパラメータの値を設定するパラメータ設定手段と、
上記格納手段に格納されている、上記第１の係数種データおよび上記第２〜第Ｎの係数種データに基づいて、上記パラメータ設定手段で設定された上記第１のパラメータの値および上記第２〜第Ｎのパラメータの値に対応した、上記推定式の係数データを発生する係数データ発生手段と、
上記第１の情報信号から上記第２の情報信号に係る注目点の周辺に位置する複数の第１の情報データを選択する第１のデータ選択手段と、
上記係数データ発生手段で発生された上記係数データと上記第１のデータ選択手段で選択された上記複数の第１の情報データとから、上記推定式を用いて上記注目点の情報データを算出して得る演算手段と
を備えることを特徴とする情報信号処理装置。
【請求項１０】  上記格納手段には、上記第１の係数種データの他に、上記第２の係数種データが格納されており、
上記パラメータ設定手段は、上記第１のパラメータの値および上記第２のパラメータの値を設定するものであり、
上記係数データ発生手段は、上記格納手段に格納されている上記第１の係数種データおよび上記第２の係数種データに基づいて、上記パラメータ設定手段で設定された上記第１のパラメータの値および上記第２のパラメータの値に対応した上記推定式の係数データを発生する
ことを特徴とする請求項９に記載の情報信号処理装置。
【請求項１１】  上記格納手段に格納されている上記第２の係数種データは、上記第１のパラメータの複数の値にそれぞれ対応した複数の周波数特性より、それぞれ上記第２の物理的な特徴量によって周波数特性を変化させた落としフィルタで生成された生徒信号に係る複数の第２の係数種データからなり、
上記係数データ発生手段は、
上記パラメータ設定手段で設定された上記第１のパラメータの値が上記複数の値のいずれかに対応しているとき、該第１のパラメータの値に対応した周波数特性より上記第２の物理的な特徴量によって周波数特性を変化させた落としフィルタで生成された生徒信号に係る第２の係数種データに基づいて、上記生成式により、上記第１のパラメータの値および上記第２のパラメータの値に対応した上記推定式の係数データを発生し、
上記パラメータ設定手段で設定された上記第１のパラメータの値が上記複数の値のいずれにも対応していないとき、上記複数の値のうち上記第１のパラメータの値の前後の値に対応した２つの周波数特性より、それぞれ上記第２の物理的な特徴量によって周波数特性を変化させた落としフィルタで生成された生徒信号に係る２つの第２の係数種データに基づいて上記生成式により上記パラメータ設定手段で設定された上記第２のパラメータの値に対応した上記推定式の２つの係数データを求め、該２つの係数データから、上記第１の係数種データに基づいて上記生成式により求められた、上記第１のパラメータの値および上記前後の値に対応した上記推定式の係数データを用いた補間処理によって、上記第１のパラメータの値および上記第２のパラメータの値に対応した上記推定式の係数データを発生する
ことを特徴とする請求項１０に記載の情報信号処理装置。
【請求項１２】  上記格納手段に格納されている上記第２の係数種データは、上記第１のパラメータの単一の値に対応した周波数特性より、上記第２の物理的な特徴量によって周波数特性を変化させた落としフィルタで生成された生徒信号に係る単一の第２の係数種データからなり、
上記係数データ発生手段は、
上記パラメータ設定手段で設定された上記第１のパラメータの値が上記単一の値であるとき、上記単一の第２の係数種データに基づいて、上記生成式により、上記第１のパラメータの値および上記第２のパラメータの値に対応した上記推定式の係数データを発生し、
上記パラメータ設定手段で設定された上記第１のパラメータの値が上記単一の値でないとき、上記単一の第２の係数種データに基づいて上記生成式により上記パラメータ設定手段で設定された上記第２のパラメータの値に対応した上記推定式の係数データを求め、該係数データから、上記第１の係数種データに基づいて上記生成式により求められた、上記第１のパラメータの値および上記単一の値に対応した上記推定式の係数データを用いた平行移動処理によって、上記第１のパラメータの値および上記第２のパラメータの値に対応した上記推定式の係数データを発生する
ことを特徴とする請求項１０に記載の情報信号処理装置。
【請求項１３】  上記格納手段は、
上記第２の情報信号に対応した教師信号と該教師信号から、上記第１のパラメータの所定の値または上記第２のパラメータの所定の値に対応した周波数特性より、第３の物理的な特徴量によって周波数特性を変化させた落としフィルタを用いて得られた上記第１の情報信号に対応した複数の生徒信号との間の学習によって生成される、上記第３の物理的な特徴量を示す第３のパラメータを含み上記推定式の係数データを生成するための生成式の係数データである第３の係数種データをさらに格納しており、
上記パラメータ設定手段は、上記第３のパラメータの値をさらに設定し、
上記係数データ発生手段は、上記格納手段に格納されている上記第１〜第３の係数種データに基づいて、上記パラメータ設定手段で設定された上記第１〜第３のパラメータの値に対応した上記推定式の係数データを発生する
ことを特徴とする請求項１０に記載の情報信号処理装置。
【請求項１４】  上記格納手段に格納されている上記第３の係数種データは、上記第１のパラメータの所定の値に対応した周波数特性より、上記第３の物理的な特徴量によって周波数特性を変化させた落としフィルタで得られた生徒信号に係るものであり、
上記係数データ発生手段は、上記第１のパラメータの値、および上記第２のパラメータの値または上記第３のパラメータの値に対応した上記推定式の係数データを発生する
ことを特徴とする請求項１３に記載の情報信号処理装置。
【請求項１５】  上記格納手段に格納されている上記第３の係数種データは、上記第２のパラメータの所定の値に対応した周波数特性より、上記第３の物理的な特徴量によって周波数特性を変化させた落としフィルタで得られた生徒信号に係るものであり、
上記係数データ発生手段は、上記第１〜第３のパラメータの値に対応した上記推定式の係数データを発生する
ことを特徴とする請求項１３に記載の情報信号処理装置。
【請求項１６】  上記第１の情報信号から上記第２の情報信号に係る注目点の周辺に位置する複数の第２の情報データを選択する第２のデータ選択手段と、上記第２のデータ選択手段で選択された上記複数の第２の情報データに基づいて上記注目点が属するクラスを検出するクラス検出手段とをさらに備え、
上記格納手段は、上記クラス検出手段で検出し得るクラス毎に、上記第１の係数種データおよび上記第２〜第Ｎの係数種データを格納しており、
上記係数データ発生手段は、上記クラス検出手段で検出されたクラスおよび上記パラメータ設定手段で設定された上記第１のパラメータの値および上記第２〜第Ｎのパラメータの値に対応した上記推定式の係数データを発生する
ことを特徴とする請求項９に記載の情報信号処理装置。
【請求項１７】  上記係数データ発生手段は、
クラス毎に、上記格納手段に格納されている上記第１の係数種データおよび上記第２〜第Ｎの係数種データに基づいて、上記パラメータ設定手段で設定された上記第１のパラメータの値および上記第２〜第Ｎのパラメータの値に対応した、上記推定式の係数データを生成する係数データ生成部と、
上記係数データ生成部で生成された上記クラス毎の推定式の係数データを格納する格納部と、
上記格納部より上記検出手段で検出されたクラスに対応した上記推定式の係数データを読み出して出力する係数データ読み出し部とを有してなる
ことを特徴とする請求項１６に記載の情報信号処理装置。
【請求項１８】  複数の情報データからなる第１の情報信号を複数の情報データからなる第２の情報信号に変換する情報信号処理方法であって、
上記第２の情報信号に対応した教師信号と、該教師信号から、第１の物理的な特徴量によって周波数特性を変化させた落としフィルタを用いて得られた上記第１の情報信号に対応した複数の生徒信号との間の学習によって生成される、上記第１の物理的な特徴量を示す第１のパラメータを含み推定式の係数データを生成するための生成式の係数データである第１の係数種データを記憶部から取得するステップと、
上記第２の情報信号に対応した教師信号と、該教師信号から、第２〜第Ｎ（Ｎは２以上の整数）の物理的な特徴量によって、それぞれ、他の物理的な特徴量の所定値に対応した周波数特性より該周波数特性を変化させた落としフィルタを用いて得られた上記第１の情報信号に対応した複数の生徒信号との間の学習によって生成される、それぞれ上記第２〜第Ｎの物理的な特徴量を示す第２〜第Ｎのパラメータを含み上記推定式の係数データを生成するための生成式の係数データである第２〜第Ｎの係数種データを記憶部から取得するステップと、
上記第１のパラメータの値および上記第２〜第Ｎのパラメータの値を設定するステップと、
上記取得された第１の係数種データ、および第２〜第Ｎの係数種データに基づいて、上記設定された第１のパラメータの値および第２〜第Ｎのパラメータの値に対応した、上記推定式の係数データを発生するステップと、
上記第１の情報信号から上記第２の情報信号に係る注目点の周辺に位置する複数の情報データを選択するステップと、
上記発生された係数データと上記選択された複数の情報データとから、上記推定式を用いて上記注目点の情報データを算出して得るステップと
を備えることを特徴とする情報信号処理方法。
【請求項１９】  複数の情報データからなる第１の情報信号を複数の情報データからなる第２の情報信号に変換する際に使用する推定式の係数データを求める際に使用する係数種データを生成する装置であって、
上記第２の情報信号に対応した教師信号から第１の物理的な特徴量によって周波数特性を変化させた落としフィルタを用いて得られる、上記第１の情報信号に対応した複数の生徒信号より、上記教師信号に係る注目点の周辺に位置する複数の情報データを選択する第１のデータ選択手段と、
上記第１のデータ選択手段で選択された複数の情報データおよび上記教師信号に係る注目点の情報データに基づいて学習データを生成し、該生成された学習データに基づいて、上記第１の物理的な特徴量を示す第１のパラメータを含み上記推定式の係数データを生成するための生成式の係数データである第１の係数種データを生成する第１の係数データ生成手段と、
上記第２の情報信号に対応した教師信号から、第２〜第Ｎ（Ｎは２以上の整数）の物理的な特徴量によって、それぞれ、他の物理的な特徴量の所定値に対応した周波数特性より該周波数特性を変化させた落としフィルタを用いて得られる、上記第１の情報信号に対応した複数の生徒信号より、上記教師信号に係る注目点の周辺に位置する複数の情報データを選択する第２のデータ選択手段と、
上記第２のデータ選択手段で選択された複数の情報データおよび上記教師信号に係る注目点の情報データに基づいて学習データを生成し、該生成された学習データに基づいて、上記第２〜第Ｎの物理的な特徴量を示す第２〜第Ｎのパラメータを含み上記推定式の係数データを生成するための生成式の係数データである第２〜第Ｎの係数種データを生成する第２の係数データ生成手段と
を備えることを特徴とする係数種データ生成装置。
【請求項２０】  複数の情報データからなる第１の情報信号を複数の情報データからなる第２の情報信号に変換する際に使用する推定式の係数データの算出時に使用する係数種データを生成する方法であって、
上記第２の情報信号に対応した教師信号から第１の物理的な特徴量によって周波数特性を変化させた落としフィルタを用いて得られる、上記第１の情報信号に対応した複数の生徒信号より、上記教師信号に係る注目点の周辺に位置する複数の情報データを選択する第１のステップと、
上記第１のステップで選択された複数の情報データおよび上記教師信号に係る注目点の情報データに基づいて学習データを生成し、該生成された学習データに基づいて、上記第１の物理的な特徴量を示す第１のパラメータを含み上記推定式の係数データを生成するための生成式の係数データである第１の係数種データを生成する第２のステップと、
上記第２の情報信号に対応した教師信号から、第２〜第Ｎ（Ｎは２以上の整数）の物理的な特徴量によって、それぞれ、他の物理的な特徴量の所定値に対応した周波数特性より該周波数特性を変化させた落としフィルタを用いて得られる、上記第１の情報信号に対応した複数の生徒信号より、上記教師信号に係る注目点の周辺に位置する複数の情報データを選択する第３のステップと、
上記第３のステップで選択された複数の情報データおよび上記教師信号に係る注目点の情報データに基づいて学習データを生成し、該生成された学習データに基づいて、上記第２〜第Ｎの物理的な特徴量を示す第２〜第Ｎのパラメータを含み上記推定式の係数データを生成するための生成式の係数データである第２〜第Ｎの係数種データを生成する第４のステップと
を備えることを特徴とする係数種データ生成方法。
【手続補正３】
【補正対象書類名】明細書
【補正対象項目名】０００１
【補正方法】変更
【補正の内容】
【０００１】
【発明の属する技術分野】
この発明は、例えばＮＴＳＣ方式のビデオ信号をハイビジョンのビデオ信号に変換する際に適用して好適な係数データの生成装置および生成方法、それを使用した情報信号の処理装置および処理方法、それに使用する係数種データの生成装置および生成方法に関する。詳しくは、第１の情報信号を第２の情報信号に変換する際に使用される推定式の係数データを、教師信号から複数の物理的な特徴量によってそれぞれ周波数特性を変化させた落としフィルタを用いて得られた複数種類の生徒信号と教師信号との間の学習によって生成される複数種類の係数種データに基づいて生成することによって、係数データを格納しておくメモリの容量増加を招くことなく、パラメータの値の変化に対応した係数データを得ることができ、また多様に変化する係数データを得ることができるようにした係数データ生成装置等に係るものである。
【手続補正４】
【補正対象書類名】明細書
【補正対象項目名】０００９
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００２６
【補正方法】削除
【補正の内容】